(57)【要約】【課題】基地局の受信ダイナミックレンジを実質的に拡張することができる基地局および無線リソース割り当て方法を提供する。【解決手段】本発明にかかる基地局１０は、通信端末のアンテナ入力レベルを検出する入力検出部１１０と、検出した前記アンテナ入力レベルに基づいて、同等のアンテナ入力レベルを有する通信端末ごとにグループ分けするグルーピング部１２０と、グループ分けされた通信端末グループ毎に上りリンク信号を同一時間スロットで送信するように無線リソースを割り当てる制御部１３０とを備える。【選択図】図１
2012235410.tif 000002
【特許請求の範囲】
【請求項１】
リソースブロックを無線リソース割り当ての最小単位とし、時間スロット毎に無線リソース割り当てを行う基地局であって、
通信端末のアンテナ入力レベルを検出する入力検出部と、
検出した前記アンテナ入力レベルに基づいて、同等のアンテナ入力レベルを有する通信端末毎にグループ分けするグルーピング部と、
グループ分けされた通信端末グループ毎に上りリンク信号を同一時間スロットで送信するように無線リソースを割り当てる制御部と
を備える基地局。
【請求項２】
請求項１に記載の基地局において、さらに通信端末毎のチャネル品質を検出するチャネル品質検出部を備え、前記制御部は、当該チャネル品質に基づいて前記通信端末毎の変調方式を制御する基地局。
【請求項３】
請求項１または２に記載の基地局において、増幅率が可変であるＡＧＣと、前記ＡＧＣの前記増幅率を制御するゲイン制御部とをさらに備え、前記ゲイン制御部は、全ての通信端末の前記ＡＧＣの出力レベルが所定レベル範囲内になるように前記ＡＧＣを制御する基地局。
【請求項４】
リソースブロックを無線リソース割り当ての最小単位とし、時間スロット毎に無線リソース割り当てを行う無線リソース割り当て方法であって、
通信端末のアンテナ入力レベルを検出するステップと、
検出した前記アンテナ入力レベルに基づいて、同等のアンテナ入力レベルを有する通信端末ごとにグループ分けするステップと、
グループ分けされた通信端末グループ毎に上りリンク信号を同一時間スロットで送信するように無線リソースを割り当てるステップと
を含む無線リソース割り当て方法。
【発明の詳細な説明】
【技術分野】
【０００１】
本発明は、基地局および無線リソース割り当て方法に関するものである。
【背景技術】
【０００２】
新たな無線通信システムであるＬＴＥ（Long Term Evolution）は、ＯＦＤＭ（Orthogonal Frequency Division Multiplexing）方式を採用しており、通信端末から基地局への上りリンクの無線アクセス方式には、ＯＦＤＭに基づくＳＣ−ＦＤＭＡ（Single Carrier Frequency Division Multiple Access）を採用し、基地局から通信端末への下りリンクの無線アクセス方式には、ＯＦＤＭＡ（Orthogonal Frequency Division Multiple Access）を採用している。
【０００３】
ＬＴＥ通信システムは、データ伝送の効率化のため、通信環境などを考慮して各通信端末へ無線リソースを割り当てる。無線リソースは、リソースブロックと称される単位を最小単位として割り当てられる。
【０００４】
基地局は、セル内に存在する複数の通信端末から信号を受信するが、各通信端末から受信する信号のアンテナ端における入力レベル（以下「アンテナ入力レベル」と称する）は一定ではない。例えば、ＬＴＥ通信システムにおいては、フラクショナルＴＰＣ（Transmission Power Control）という送信電力制御が採用されている。これは、基地局が受け取る受信信号のＳＩＮＲ（Signal to Interference and Noise Ratio）の目標値を、セル端に存在する通信端末からの信号に対するＳＩＮＲの目標値の方が基地局に近い通信端末からの信号に対するＳＩＮＲの目標値よりも小さくなるように制御するものである。フラクショナルＴＰＣは、セル端に存在する通信端末が送信する信号による他セルへの干渉量を低減し、システム全体としてのスループットを改善することを目的とするものである。フラクショナルＴＰＣによる通信端末の制御を採用することにより、アンテナ入力レベルは、基地局に近い通信端末から受信するレベルよりもセル端の通信端末から受信するレベルの方が小さくなる。このように、フラクショナルＴＰＣは、基地局が各通信端末から受信するアンテナ入力レベルが異なる要因の一例として挙げられる。
【０００５】
基地局は、受信信号を増幅するためにアンプなどの回路を備える。アンプは、小信号を受け取った場合は線形動作をするが、能力を超えた大信号を受け取った場合は非線形動作となり信号を歪ませる。したがって、アンプが信号を歪ませないようにするためには、アンプが受け取る信号レベルを所定の信号レベル以下まで下げる必要がある。ここで、アンプを例に挙げて説明したが、フィルタやＡＤＣ（Analog to Digital Converter）などの回路も同様に、能力を超えた大信号を受け取った場合は非線形動作となり信号を歪ませる。
【０００６】
このような大信号に起因する信号の歪みを防ぐために、アンプなどの前段にＡＧＣ（Automatic Gain Control）回路を設けて、ＡＧＣ回路が出力する信号レベル（以下「ＡＧＣ出力レベル」と称する）が所定の範囲内になるように制御する構成が知られている（例えば、特許文献１参照）。
【先行技術文献】
【特許文献】
【０００７】
【特許文献１】特表平１０−５０６７６２号公報
【発明の概要】
【発明が解決しようとする課題】
【０００８】
特許文献１に記載の発明のように、アンプなどの前段にＡＧＣ回路を配置することにより、アンプなどが受け取るＡＧＣ出力レベルを所定の範囲内に調整することができる。
【０００９】
しかしながら、例えば、基地局が信号レベルの異なる大信号および小信号を同一時間スロットで受け取った場合に、信号の歪みを防ぐため、大信号のＡＧＣ出力レベルが所定のレベル以下になるようにＡＧＣ回路を制御すると、同一時間スロットに入力している小信号のＡＧＣ出力レベルが所定の範囲以下に小さくなる場合がある。この場合、小信号のＡＧＣ出力レベルがノイズレベルに近づくことでノイズ起因によりＳＩＮＲが劣化し、所定のＳＩＮＲを満たせなくなる場合がある。
【００１０】
これを防ぐために、例えば、アンプなどの線形性を向上させ、大信号を入力しても歪みにくいようにする方法が考えられる。しかし、アンプなどの線形性を向上させるためには大幅な消費電力の増加が必要となるためコストの上昇につながってしまい好ましくない。
【００１１】
したがって、かかる点に鑑みてなされた本発明の目的は、基地局の受信ダイナミックレンジを実質的に拡張することができる基地局および無線リソース割り当て方法を提供することにある。
【課題を解決するための手段】
【００１２】
上述した諸課題を解決すべく、請求項１に係る基地局は、
リソースブロックを無線リソース割り当ての最小単位とし、時間スロット毎に無線リソース割り当てを行う基地局であって、
通信端末のアンテナ入力レベルを検出する入力検出部と、
検出した前記アンテナ入力レベルに基づいて、同等のアンテナ入力レベルを有する通信端末毎にグループ分けするグルーピング部と、
グループ分けされた通信端末グループ毎に上りリンク信号を同一時間スロットで送信するように無線リソースを割り当てる制御部と
を備える。
【００１３】
請求項２に係る基地局は、請求項１に記載の基地局において、さらに通信端末毎のチャネル品質を検出するチャネル品質検出部を備え、前記制御部は、当該チャネル品質に基づいて前記通信端末毎の変調方式を制御する。
【００１４】
請求項３に係る基地局は、請求項１または２に記載の基地局において、増幅率が可変であるＡＧＣと、前記ＡＧＣの前記増幅率を制御するゲイン制御部とをさらに備え、前記ゲイン制御部は、全ての通信端末の前記ＡＧＣの出力レベルが所定レベル範囲内になるように前記ＡＧＣを制御する。
【００１５】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１６】
例えば、本発明を方法として実現させた請求項４に係る無線リソース割り当て方法は、
リソースブロックを無線リソース割り当ての最小単位とし、時間スロット毎に無線リソース割り当てを行う無線リソース割り当て方法であって、
通信端末のアンテナ入力レベルを検出するステップと、
検出した前記アンテナ入力レベルに基づいて、同等のアンテナ入力レベルを有する通信端末ごとにグループ分けするステップと、
グループ分けされた通信端末グループ毎に上りリンク信号を同一時間スロットで送信するように無線リソースを割り当てるステップと
を含む。
【発明の効果】
【００１７】
本発明によれば、アンテナ入力レベルの異なる複数の通信端末が上りリンク信号を同一時間スロットに送信しないように無線リソースを割り当てることにより、基地局の受信ダイナミックレンジを実質的に拡張することができる基地局および無線リソース割り当て方法を提供することができる。
【図面の簡単な説明】
【００１８】
【図１】本発明の一実施形態に係る基地局の概略構成を示す機能ブロック図である。
【図２】本発明の一実施形態に係る無線リソース割り当てを最適化する様子を示す図である。
【図３】無線リソース割り当ての最適化を実施せずにＡＧＣを実行した場合の各通信端末のＡＧＣ出力レベルを示す図である。
【図４】本発明の一実施形態に係る無線リソース割り当ての最適化を実施してＡＧＣを実行した場合の各通信端末のＡＧＣ出力レベルを示す図である。
【図５】本発明の一実施形態に係る無線リソースの割り当てを最適化する手順を示すフローチャートである。
【図６】ＡＧＣ出力レベルとＥＶＭとの関係を示す図である。
【発明を実施するための形態】
【００１９】
以下、本発明に係る実施形態について、図面を参照して説明する。
【００２０】
図１は、本発明の一実施形態に係る基地局の概略構成を示す機能ブロック図である。
【００２１】
基地局１０は、信号処理部１００、ベースバンド部２００、ＲＦ（Radio Frequency）受信部３００およびＲＦ送信部４００を備える。
【００２２】
信号処理部１００は、基地局１０の各機能部をはじめとして基地局１０の全体を制御および管理するものであり、ＣＰＵ等の好適なプロセッサによって構成される。信号処理部１００は、入力レベル検出部１１０、グルーピング部１２０、制御部１３０、チャネル品質検出部１４０およびゲイン制御部１５０を備える。
【００２３】
入力レベル検出部１１０は、セル内の全通信端末からの受信信号をベースバンド部２００から受け取り、全通信端末からのアンテナ入力レベルを検出する。
【００２４】
グルーピング部１２０は、入力レベル検出部１１０が検出したセル内の全通信端末のアンテナ入力レベルに基づいて、アンテナ入力レベルが同等の通信端末が同一のグループになるようにグルーピングする。以後、グルーピング部１２０がグルーピングしたアンテナ入力レベルが同等の通信端末のグループのことを「通信端末グループ」と称する。
【００２５】
制御部１３０は、同一の通信端末グループに含まれる通信端末が上りリンク信号を同じタイミングで送信するように、セル内の通信端末に無線リソースを割り当てる。制御部１３０は、無線リソースの割り当て情報を制御チャネルに反映させる。
【００２６】
また、制御部１３０は、チャネル品質検出部１４０が検出する各通信端末と基地局１０との間のチャネル品質に基づいて、各通信端末がどの変調方式を採用するかを決定する。制御部１３０は、決定した変調方式を制御チャネルに反映させる。
【００２７】
チャネル品質検出部１４０は、セル内の各通信端末が送信するリファレンス・シグナルをベースバンド部２００から受け取り、各通信端末と基地局１０との間のチャネル品質を検出する。
【００２８】
ゲイン制御部１５０は、入力レベル検出部１１０が検出したアンテナ入力レベルに基づいて、アンプ３４０に入力されるＡＧＣ出力レベルが適切な範囲になるようにＡＧＣ３３０のゲインを制御する。
【００２９】
また、ゲイン制御部１５０は、各時間スロットの最初のシンボルのＣＰ（Cyclic Prefix）期間内にＡＧＣ３３０のゲイン制御をすることで、ゲイン制御中に受け取った受信データが復調できずに伝送効率を劣化させることを防ぐことができる。
【００３０】
ベースバンド部２００は、受信信号に対しては、ＲＦ受信部３００のＡＤＣ３５０から受信データを受け取り、ＣＰ除去、ＦＦＴ(Fast Fourier Transform)およびデマッピングなどの処理を実行し、当該処理後の受信データを信号処理部１００に出力する。また、ベースバンド２００は、送信信号に対しては、信号処理部１００から送信データを受け取り、マッピング、ＩＦＦＴ（Inverse Fast Fourier Transform）およびＣＰ付加などの処理を実行し、当該処理後の送信データをＲＦ送信部４００に出力する。
【００３１】
ＲＦ受信部３００は、アンテナからＲＦ受信信号を受け取り、ベースバンド周波数への変換およびアナログ信号からデジタル信号への変換などを実行した後、受信データをベースバンド部２００に出力する。
【００３２】
ＲＦ受信部３００は、ＬＮＡ（Low Noise Amplifier）３１０、ミキサ３２０、ＡＧＣ３３０、アンプ３４０およびＡＤＣ３５０を備える。
【００３３】
ＬＮＡ３１０は、アンテナから受け取った受信信号を低雑音で増幅し、ミキサ３２０に出力する。
【００３４】
ミキサ３２０は、ＬＮＡ３１０からＲＦ周波数の受信信号を受け取り、低周波のベースバンド周波数の受信信号に変換し、ＡＧＣ３３０に出力する。
【００３５】
ＡＧＣ３３０は、ミキサ３２０から受け取った受信信号を増幅しアンプ３４０に出力する。この際、受信信号を増幅する増幅率は可変であり、当該増幅率はゲイン制御部１５０によって適切なＡＧＣ出力レベルを出力するように制御される。
【００３６】
アンプ３４０は、ＡＧＣ３３０から受け取った受信信号を増幅しＡＤＣ３５０に出力する。ここで、アンプ３４０は、一般に小信号入力に対しては線形動作をするが、アンプ３４０の能力を超えた大信号が入力された場合は非線形動作となり、出力信号に歪みが発生する。これを防ぐため、アンプ３４０の前段にＡＧＣ３３０を配置し、ＡＧＣ出力レベルが所定の範囲内のレベルになるように制御されている。なお、本実施形態においては、ＡＧＣ３３０とＡＤＣ３５０との間にアンプ３４０が配置される例を示したが、これはアンプに限定されるものではなく、フィルタなどの回路、または、これらとアンプとが複合された回路の場合などがあり得る。フィルタなどの回路を使用する場合も線形動作できる範囲には制限があり、能力を超えた大信号が入力された場合は、その出力信号は歪む。
【００３７】
ＲＦ送信部４００は、ベースバンド部２００から送信データ受け取り、デジタル信号からアナログ信号への変換、および、ベースバンド周波数からＲＦ周波数への変換などを実行した後、送信信号をアンテナに出力する。
【００３８】
ここで、グルーピング部１２０および制御部１３０の動作について詳細に説明する。
【００３９】
図２（ａ）は、各通信端末からの基地局１０のアンテナ入力レベルを時間軸および周波数軸に対して示したものである。時間軸および周波数軸の方向はグラフ左下において矢印で示す向きのとおりであり、時間軸は横方向、周波数軸は右下から左上への斜め方向である。また、直方体の高さは各通信端末のアンテナ入力レベルを示す。時間軸に示す０〜１０の数字は、それぞれが１つの時間スロットを意味する。ＬＴＥ通信システムにおいては、時間スロットの単位は１ｍｓであり、１ｍｓ毎に各通信端末に対する無線リソースの割り当てが変更される。
【００４０】
図２（ａ）は、グルーピング部１２０がアンテナ入力レベルが同等の通信端末毎にグルーピングし、制御部１３０が通信端末グループ毎に上りリンク信号を同一時間スロットで送信するように無線リソースを割り当てる前の無線リソース割り当て状態を示す。図２（ａ）に示すように、各通信端末のアンテナ入力レベルは、通常、通信端末毎に異なる値である。図２（a）の例においては、基地局１０は、時間スロット４および９において、１つの時間スロット内で複数の通信端末からの信号を受信する。図２（ａ）に示す例では、基地局１０は、時間スロット４において２つの通信端末から上りリンク信号を同一時間スロットに受信し、時間スロット９において３つの通信端末から上りリンク信号を同一時間スロットに受信している。時間スロット４および９のいずれにおいても、同一時間スロット内の複数の通信端末のアンテナ入力レベルは同一ではなく異なる値である。
【００４１】
図２（ｂ）は、グルーピング部１２０がアンテナ入力レベルが同等の通信端末毎にグルーピングし、制御部１３０が通信端末グループ毎に上りリンク信号を同一時間スロットで送信するように無線リソースを割り当てた様子を示す。図２（ｂ）に示す例では、グルーピング部１２０は、アンテナ入力レベルが同等の通信端末毎に５つの通信端末グループにグルーピングし、制御部１３０は、当該５つの通信端末グループに時間スロット０、２、４、６および９を割り当てている。時間スロット０、２、４、６および９に割り当てられた通信端末の数は、それぞれ、２，３、３、１および２台である。
【００４２】
図３（ａ）および図３（ｂ）は、仮に、グルーピング部１２０がアンテナ入力レベルが同等の通信端末毎にグルーピングする前の状態、すなわち図２（ａ）に示した状態で、ゲイン調整部１５０がＡＧＣ３３０によるゲインを調整した場合の様子を示す。
【００４３】
図３（ａ）は、図２（ａ）に対応するグラフであり、横軸を時間、縦軸をＡＧＣ出力レベルとしたものである。時間スロット４または９のように、制御部１３０が複数の通信端末を同一時間スロットに割り当てている時間スロットにおいては、複数の通信端末のＡＧＣ出力レベルを重ねて表している。ここで、複数の通信端末のＡＧＣ出力レベルを重ねて表す場合は、ＡＧＣ出力レベルを表す長方形の時間軸方向の長さは短くなっているが、これは、複数重ねたものを見やすくするために便宜上短くしたものであり、時間軸方向の長さが短い場合と長い場合とで何らかの物理量の差異があるわけではない。
【００４４】
図３（ａ）の右側において、ＱＰＳＫ（Quadrature Phase Shift Keying）、１６ＱＡＭ（Quadrature Amplitude Modulation）および６４ＱＡＭの３つの変調方式を示し、それぞれの変調方式について矢印でＡＧＣ出力レベルの範囲を示している。ここに矢印で示しているＡＧＣ出力レベルの範囲は、各変調方式を採用した場合に、基地局１０が受信信号を正常に復調できるＡＧＣ出力レベルの範囲である。一般に、基地局１０が受信信号を正常に復調するためには多値変調になるほど高いＳＩＮＲ（Signal to Interference and Noise Ratio）を必要とする。ＡＧＣ出力レベルが大きい場合は、アンプ３４０などに大信号が入力されることに起因する非線形歪みによりＳＩＮＲが劣化し、ＡＧＣ出力レベルが低い場合は、ＡＧＣ出力レベルがノイズレベルに近づくことによりＳＩＮＲが劣化する。したがって、ＱＰＳＫ、１６ＱＡＭ、６４ＱＡＭの順で、基地局１０が受信信号を正常に復調することができるＡＧＣ出力レベルの範囲は狭くなる。
【００４５】
上述のＡＧＣ出力レベルとＳＩＮＲとの関係についてのさらなる説明として、図６にＡＧＣ出力レベルとＥＶＭ（Error Vector Magnitude）との関係を示す。ここで、ＥＶＭとは、各変調方式のコンスタレーション上における、信号点から実際の信号への誤差ベクトルの大きさを示す量であり、ＳＩＮＲに対応する量である。ＳＩＮＲが大きい場合はＥＶＭは小さくなり、ＳＩＮＲが小さい場合はＥＶＭは大きくなる。図６に示すように、ＡＧＣ出力レベルが小さい場合は、ＡＧＣ出力レベルがノイズレベルに近づくためノイズに起因してＳＩＮＲが劣化し、したがってＥＶＭは大きくなる。ＡＧＣ出力レベルが大きい場合は、大信号に起因する非線形歪みによってＳＩＮＲが劣化し、したがってＥＶＭは大きくなる。
【００４６】
図６は、基地局１０が受信信号を正常に復調できるＡＧＣ出力レベルの範囲を、ＱＰＳＫ、１６ＱＡＭおよび６４ＡＱＭのそれぞれについて矢印で示している。多値変調になるほど高いＳＩＮＲ（すなわち小さいＥＶＭ）が要求されるので、ＱＰＳＫ，１６ＱＡＭ、６４ＱＡＭの順で基地局１０が正常に復調できるＡＧＣ出力レベルの範囲は狭くなっていく。
【００４７】
図３（ｂ）は、図３（ａ）に示した無線リソースの割り当て状態において、ゲイン調整部１５０がＡＧＣ３３０のＡＧＣ出力レベルを好ましいＡＧＣ出力レベルであるＡＧＣターゲットレベルに調整した様子を示す。時間スロット０、２、３、７および８のように矢印が上向きのものは、ゲイン制御部１５０が、ＡＧＣ３３０により信号を増幅させるように制御したことを意味し、時間スロット１、４および９のように矢印が下向きのものは、ゲイン制御部１５０が、ＡＧＣ３３０により信号を減衰させるように制御したことを意味する。また、矢印の長さは、上向きの場合は増幅量、下向きの場合は減衰量に相当する。
【００４８】
図３（ｂ）において、基地局１０が、時間スロット４および９のように同一時間スロット内に複数の通信端末からの上りリンク信号を受信している場合は、ゲイン制御部１５０は、大信号に起因する非線形歪みを防ぐために、複数の受信信号のうちの最大のＡＧＣ出力レベルの受信信号がＡＧＣターゲットレベルになるようにＡＧＣ３３０を制御する。例えば、時間スロット９の例をみると、３つの受信信号のうちＡＧＣ出力レベルが最大の受信信号のＡＧＣ出力レベルがＡＧＣターゲットレベルになるように、ゲイン制御部１５０はＡＧＣ出力レベルを調整している。ここで、時間スロット９において同一時間スロットに受信した上りリンク信号は、ＡＧＣ出力レベルのレベル差が大きいため、ゲイン制御部１５０が、最大のＡＧＣ出力レベルの受信信号がＡＧＣターゲットレベルになるように調整すると、一番ＡＧＣ出力レベルが小さい受信信号は、基地局１０がＱＰＳＫで正常に復調できる範囲よりもＡＧＣ出力レベルが下がってしまう。このような場合は、基地局１０と通信できない通信端末が発生することになり、システム全体としてのスループットは低下する。
【００４９】
図４（ａ）および図４（ｂ）は、本願発明に基づき、グルーピング部１２０がアンテナ入力レベルが同等の通信端末毎にグルーピングし、制御部１３０が通信端末グループ毎に上りリンク信号を同一時間スロットで送信するように無線リソースを割り当てた状態、すなわち、図２（ｂ）に示した状態において、ゲイン制御部１５０がＡＧＣ３３０のゲインを調整した場合の様子を示す。
【００５０】
図４（ａ）は、図２（ｂ）に対応するグラフであり、表記方法は図３（ａ）と同様である。図４（ａ）においては、セル内の複数の通信端末は、アンテナ入力レベルが同一の通信端末がグルーピング部１２０によってグルーピングされ、各通信端末グループは、上りリンク信号を同一時間スロットで送信するように制御部１３０によって無線リソースが割り当てられている。したがって、時間スロット０、２、４および９のように複数の通信端末から同一時間スロットに上りリンク信号を受信する時間スロットにおいては、同一時間スロット内の通信端末のＡＧＣ出力レベルは同等である。
【００５１】
図４（ｂ）は、図４（ａ）に示した無線リソースの割り当て状態において、ゲイン制御部１５０がＡＧＣ出力レベルをＡＧＣターゲットレベルに調整した様子を示す。矢印の意味は図３（ｂ）における矢印の意味と同様である。
【００５２】
図４（ｂ）においては、時間スロット０、２、４および９のように、基地局１０が複数の通信端末から受信している時間スロットにおける複数の通信端末からのアンテナ入力レベルは同等である。したがって、ゲイン制御部１５０が、ＡＧＣ３３０をＡＧＣ出力レベルがターゲットレベルになるように調整した場合の複数の通信端末の調整後のＡＧＣ出力レベルも同等である。このように、グルーピング部１２０がアンテナ入力レベルが同等である通信端末をグルーピングして、制御部１３０が通信端末グループ毎に上りリンク信号を同じタイミングで送信するように無線リソースを割り当てることにより、図３（ｂ）に示したように、基地局１０に大信号と同一時間スロットに入力された小信号が、基地局１０が正常に復調できるアンテナ出力レベルの範囲を外れてしまうことを防ぐことができる。その結果、システム全体のスループットを向上させることができる。
【００５３】
図５に示すフローチャートを参照しながら、基地局１０が無線リソースの割り当てを最適化する手順を説明する。
【００５４】
入力レベル検出部１１０は、セル内の全通信端末からの受信信号をベースバンド部２００から受け取り、全通信端末のアンテナ入力レベルを検出する（ステップＳ１０１）。
【００５５】
グルーピング部１２０は、入力レベル検出部１１０からセル内の全通信端末のアンテナ入力レベルを受け取り、アンテナ入力レベルが同等の通信端末が同じグループになるようにグルーピングする（ステップＳ１０２）。
【００５６】
制御部１３０は、各通信端末グループ内の通信端末が上りリンク信号を同じタイミングで送信するように、セル内の通信端末に無線リソースを割り当てる。制御部１３０は、無線リソースの割り当て情報を制御チャネルに反映させる（ステップＳ１０３）。
【００５７】
ゲイン制御部１５０は、ＡＧＣ出力レベルがＡＧＣターゲットレベルと同等になるようにＡＧＣ３３０のゲインを制御する（ステップＳ１０４）。
【００５８】
このように、本実施形態によれば、基地局１０は、アンテナ入力レベルが大きい信号と小さい信号とを同一時間スロットに受信することがないようにセル内の通信端末に無線リソースを割り当てることができる。これにより、基地局１０は、アンテナ入力レベルが大きい信号に合わせてゲイン制御部１５０がＡＧＣ３３０を制御することにより、小さい信号が所望のＳＩＮＲを満たせなくなることを防ぐことができる。これは、アンプ３４０等の線形性はそのままでありながら、基地局１０の受信ダイナミックレンジを実質的に拡張するものであり、システム全体としてのスループットを向上することができる。
【００５９】
また、制御部１３０は、上述の方法による無線リソースの割り当てにより、チャネル品質検出部１４０の検出結果から、さらに多値の変調を行うことが可能な通信端末があると判断したときは、制御チャネルを用いて、多値変調が可能であると判定した通信端末にその旨を通知することができる。
【００６０】
また、制御部１３０は、ＡＧＣ３３０によるゲイン制御を各時間スロットの先頭のシンボル中のＣＰ受信期間中に実行することにより、ターゲットレベルに調整された状態で受信データを受け取ることができる。
【００６１】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップなどに含まれる機能などは論理的に矛盾しないように再配置可能であり、複数の手段やステップなどを１つに組み合わせたり、或いは分割したりすることが可能である。
【００６２】
また、上述の実施例では、移動体通信システムとしてＬＴＥを例に説明したが、本発明はこれに限られるものではなく、時間スロット毎に通信端末に無線リソースを割り当てる無線通信システムであれば、本発明を同様に適用することができる。
【符号の説明】
【００６３】
１０  基地局
１００  信号処理部
１１０  入力レベル検出部
１２０  グルーピング部
１３０  制御部
１４０  チャネル品質検出部
１５０  ゲイン制御部
２００  ベースバンド部
３００  ＲＦ受信部
３１０  ＬＮＡ
３２０  ミキサ
３３０  ＡＧＣ
３４０  アンプ
３５０  ＡＤＣ
４００  ＲＦ送信部
【図１】
2012235410.tif 000003
【図２】
2012235410.tif 000004
【図３】
2012235410.tif 000005
【図４】
2012235410.tif 000006
【図５】
2012235410.tif 000007
【図６】
2012235410.tif 000008